【事件の表示】
　特願２０１５−１８７２１６号「遊技機」拒絶査定不服審判事件〔平成２８年　２月１２日出願公開、特開２０１６−　２５９３６号〕について、次のとおり審決する。
【結　論】
　本件審判の請求は、成り立たない。
【理　由】
第１　手続の経緯の概要
　本願は、平成１８年３月３１日に出願した特願２００６−１００５６２号の一部を平成２３年５月１８日に新たな特許出願（特願２０１１−１１１６８５号）とし、さらにその一部を平成２５年２月２１日に新たな特許出願（特願２０１３−３２１６５号）とし、さらにその一部を平成２６年８月８日に新たな特許出願（特願２０１４−１６２３５２号）とし、さらにその一部を平成２７年９月２４日に新たな特許出願（特願２０１５−１８７２１６号）としたものであって、平成２８年８月３０日付けで拒絶の理由が通知され、平成２８年１１月２日に意見書及び手続補正書が提出され、平成２９年４月１２日付けで最後の拒絶の理由が通知され、平成２９年６月７日に意見書及び手続補正書が提出されたところ、平成２９年１０月１３日付け（発送日：平成２９年１０月１７日）で、平成２９年６月７日付け手続補正が却下されるとともに拒絶査定がなされ、それに対して、平成３０年１月１６日に拒絶査定不服審判の請求がなされると同時に手続補正がなされ、これに対し、当審において、平成３０年１０月１６日付けで拒絶の理由が通知され、平成３０年１２月２０日に意見書及び手続補正書が提出されたものである。 
第２　本願発明について
　本願の請求項１に係る発明（以下「本願発明」という。記号Ａ〜Ｂ２は、分説するため当審で付した。）は、平成３０年１２月２０日付け手続補正書により補正された特許請求の範囲の請求項１に記載された次のとおりのものと認める。
「Ａ　所定の確率に応じて抽選を実行するとともに前記抽選の結果に基づいて特別図柄を表示する特別図柄表示装置を制御する主制御手段と、
　Ｂ　演出図柄を表示する演出図柄表示装置を制御する副制御手段と、を備え、
　Ａ１　前記主制御手段が、前記演出図柄表示装置に表示される前記演出図柄を制御するためのコマンドを前記副制御手段に対して送信可能な
　Ｃ　遊技機において、
　Ａ２　前記所定の確率は、通常確率状態と、該通常確率状態よりも遊技者に有利な確率変動状態と、を有し、
　Ａ３　前記主制御手段は、前記特別図柄を表示制御するための処理を行う特別遊技管理処理と、前記コマンドを前記副制御手段に送信するための処理を行うコマンド出力管理処理と、を含み、
　Ａ４　先に実行される前記特別遊技管理処理にて前記抽選の結果に基づいて前記特別図柄を変動表示するための処理を開始し、その後に実行される前記特別遊技管理処理にて前記特別図柄を変動表示する制御を継続して実行する一方、
　Ａ５　前記特別図柄を変動表示するための処理を開始したときの前記特別遊技管理処理よりも後に発生する割り込み処理において実行される前記コマンド出力管理処理にて前記コマンドを前記副制御手段に対して送信するための処理を行い、
　Ｂ１　前記副制御手段は、前記特別図柄の変動表示開始タイミングよりも前記割り込み処理の周期分の時間差によって生じる所定期間だけ遅れて、前記コマンドに基づいて前記演出図柄の変動表示を開始させるとともに、
　Ｂ２　前記特別図柄の変動表示終了タイミングよりも前記所定期間と同じ期間だけ遅れて、前記演出図柄の変動表示を終了させることを特徴とする遊技機。」 
  
第３　当審における拒絶の理由
　当審における平成３０年１０月１６日付けの拒絶理由の概要は次のとおりである。 
「１．（進歩性）本件出願の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　　　　記　　　（引用文献等については引用文献等一覧参照） 
●理由１（進歩性）について 
・請求項　１ 
・引用文献等　１−３  
  
 　　　　　　　　　　引　用　文　献　等　一　覧 
１．特開２００４−２４２７２２号公報 
２．特開２００６−１４７５９号公報（周知技術を示す文献） 
３．特開２００５−１１０９５３号公報（周知技術を示す文献、新たに引用した文献） 」
第４　引用文献について
　当審において平成３０年１０月１６日付けの拒絶理由において引用された、本願の遡及日前に頒布された特開２００４−２４２７２２号公報（以下「引用文献１」という。）には、図面と共に次の事項が記載されている（下線部は当審で付した。以下同様。）。  
・記載事項　
ア　「【００２０】
【発明の実施の形態】
以下、本発明に係る遊技機の一実施の形態について、図面を参照して説明する。まず、図１〜図３を参照して、
パチンコ機１
イ　「【００２６】
まず、特別図柄表示部２８について説明する。
特別図柄表示部２８は
遊技球が入賞して大当たりの判定が行われると
１０種類の図柄が
順次表示され、図柄と背景色の組み合わせにより、大当たりとなるか否か
を表示する
【００２７】
次に、デモ図柄表示画面３０について説明する。本実施の形態ではデモ図柄表示画面３０に表示される図柄の可変表示の一例として、図柄が上から下または下から上にスクロールされて表示される図柄の変動表示を例に説明する。図３に示すように、デモ図柄表示画面３０には、左から、デモ図柄表示部Ｄ１，デモ図柄表示部Ｄ３，デモ図柄表示部Ｄ２の順に、３つのデモ図柄表示部が横一列に配置されている。このデモ図柄表示部Ｄ１〜Ｄ３には、後述する図柄が上から下方向にスクロールするように変動表示され、また、デモ図柄表示画面３０上には、デモ図柄表示部Ｄ１〜Ｄ３の背景画像やキャラクターやメッセージ等も表示されるようになっている。
【００２８】
デモ図柄表示部Ｄ１〜Ｄ３に表示される図柄は、通常時はそれぞれ縦スクロール（上から下へのスクロール）がなされて、デモ図柄表示部Ｄ１、デモ図柄表示部Ｄ２、デモ図柄表示部Ｄ３の順に停止するようになっている。なお、このデモ図柄表示部Ｄ１〜Ｄ３の配置および停止表示させる順序などは任意に変更できることはいうまでもない。またデモ図柄表示画面３０には、上記のデモ図柄表示部Ｄ１〜Ｄ３に図柄が常に表示されているわけではなく、これらの表示に代えて動画やメッセージ等も表示できるようになっている。また表示装置８は、その裏面に図柄表示基板４４（図４参照）を備えている。」
ウ　「【００３２】
主基板４１には
ＣＰＵ５１
が設けられており
ＣＰＵ５１は
割込信号が入力される毎に
メインルーチン
を
実行し
・・・略・・・
【００３４】
なお、
主基板４１はパチンコ機１の主制御を司り
サブ統合基板５８は
図柄表示基板４４
を制御している
図柄表示基板４４は特別図柄表示部２８，デモ図柄表示画面３０
に表示される図柄の制御を行い
・・・略・・・
【００３９】
次に、図６を参照して、ＲＡＭ５２の記憶エリアについて説明する。図６は、ＲＡＭ５２の記憶エリアを示す模式図である。図６に示すように、ＲＡＭ５２には、各種のカウンタを一時的に記憶するループカウンタ記憶エリア５２ａ、各ゲートを通過した遊技球や各入賞口に入賞した遊技球のそれぞれに対応したフラグの情報が書き込まれる入賞球フラグ記憶エリア５２ｂ、普通図柄始動ゲート１２へ遊技球が通過した場合に取得される乱数が書き込まれる普通当たり関係情報記憶エリア５２ｃ、普通図柄始動ゲート１２への遊技球の通過数が記憶される普通図柄作動保留数記憶エリア５２ｄ、特別図柄始動電動役物１５への遊技球の通過時に取得される乱数や判定結果が書き込まれる大当たり関係情報記憶エリア５２ｅ、特別図柄始動電動役物１５への遊技球の入賞数が記憶される特別図柄作動保留数記憶エリア５２ｆ、条件装置が作動中か否かのフラグを記憶する条件装置作動フラグ記憶エリア５２ｇ、確率変動遊技状態に突入するか否かを示すフラグを記憶する確率変動フラグ記憶エリア５２ｈ、主基板４１からサブ統合基板５８に出力させる制御コマンドに対応したフラグやその制御コマンドの変数を記憶するコマンド関係記憶エリア５２ｍ、デモ図柄表示画面３０上の表示状態の遷移を行うための状態フラグを記憶する状態フラグ記憶エリア５２ｎ、高確率状態となることを報知するための高確率図柄パターンを記憶する高確率図柄パターン記憶エリア５２ｐ、通常確率状態となることを報知するための通常確率図柄パターンを記憶する通常確率図柄パターン記憶エリア５２ｑ、仮停止後再変動する確率変動昇格図柄パターンを記憶する確率変動昇格図柄パターン記憶エリア５２ｒ、デモ図柄が再変動するか否かのフラグを記憶する再変動フラグ記憶エリア５２ｓ等が設けられている。なお、状態フラグ記憶エリア５２ｎの状態フラグは２ｂｉｔのフラグであり、
デモ図柄表示画面３０のデモ図柄表示部Ｄ１，Ｄ２，Ｄ３に変動表示される図柄の高速変動状態（変動開始から一定の高速変動を継続している状態）
確定表示状態（図柄の変動が停止して確定表示を行っている状態）
エ　「【００５１】
デモ図柄変動時間カウンタＬＣ９は、デモ図柄の変動時の変動時間
を計測するために使用されるタイマカウンタである
サブ統合基板５８への高速変動状態の開始を指示する高速変動コマンド
確定表示状態の開始を指示する全図柄停止コマンド
オ　「【００６２】
図１３に示す
メインルーチン
は
一定間隔の時間
で
発生される割込みによって、実行が開始される
【００６３】
割込みによってメインルーチンの処理が開始されると、まず制御コマンドをサブ基板に出力するコマンド出力処理が行なわれる（Ｓ１）。このコマンド出力処理では、図柄表示基板４４に特別図柄表示部２８、デモ図柄表示画面３０
へ図柄を表示させるためのコマンド
が
サブ統合基板５８に出力される。具体的には、メインルーチンのＳ３以降の各処理にて、サブ統合基板５８に対して出力させる制御コマンド
が
記憶される。すると、メインルーチンの次の巡目のコマンド出力処理にて
制御コマンドが
サブ統合基板５８に出力される
カ　「【００６７】
特別電動役物処理が終了すると、
大当たりの判定を行ってその結果を特別図柄表示部２８に表示する特別図柄処理が行われる（Ｓ９）
【００６８】
特別図柄処理が終了すると
デモ図柄をデモ図柄表示画面３０に表示させるデモ図柄処理（Ｓ１１）が行われる
・・・略・・・
【００７４】
例えば、遊技者が、遊技盤２の下側に設けられた発射ハンドル７を操作して遊技球を遊技領域４に打ち込み、遊技球が特別図柄始動電動役物１５に入賞すると、メインルーチンのスイッチ読込処理（Ｓ３）において、遊技球の特別図柄始動電動役物１５への入賞が検出され、入賞球フラグ記憶エリア５２ｂの対応するフラグが「ＯＮ」となる。そして、
特別図柄処理（Ｓ９）にて
ループカウンタＬＣ２
が取り込まれる。取り込まれたカウント値に基づいて、特別図柄表示部２８への表示がなされ（Ｓ９）、デモ図柄の変動表示が開始される（Ｓ１１）
【００７５】
まず、
メインルーチンのＳ９で行われる特別図柄処理について
説明する
・・・略・・・
【００７７】
作動保留数が「４」でない場合、すなわち「０」〜「３」のいずれかである場合（Ｓ１０３：ＮＯ）、特別図柄作動保留数記憶エリア５２ｆの記憶値に「１」を加算する（Ｓ２３）。そして、大当たり関係情報記憶エリア５２ｅにループカウンタ記憶エリア５２ａの
カウンタ値を乱数値として取り込む
大当たり判定用ループカウンタＬＣ２
の各カウント値を取り込んで記憶させる
・・・略・・・
【００７９】
条件装置作動フラグが「ＯＦＦ」である場合（Ｓ１０９：ＮＯ）、
特別図柄が変動中か否かを判断する
特別図柄が変動中の場合は
変動が終了するタイミングかどうかを判断し
まだ特別図柄が変動を継続する場合には
特別図柄処理を終了してメインルーチンにリターンする。変動が終了するタイミングであれば（Ｓ１１３：ＹＥＳ）、特別図柄停止コマンドを
記憶させてセットする（Ｓ１１５）
Ｓ１１５が終了すると、特別図柄処理を終了してメインルーチンにリターンする
・・・略・・・
【００８１】
そして、判定エリアに記憶されている
大当たり判定用ループカウンタＬＣ２の値を用いて、大当たりか否かの判断を行う
。この大当たり判定処理では
大当たり判定用ループカウンタＬＣ２の値が大当たりとして決められている特定の値であるか否かが判定される
大当たりとして決められている値は、通常確率状態では、特定の１つの値
である。一方
高確率状態では、複数の特定の値
である
【００８２】
大当たりと判定された場合には
高速変動後
当たり図柄となる図柄と背景色の組み合わせを
特別図柄表示部２８に表示する
コマンドを
記憶させてセットする（Ｓ１２１）
大当たりと判定されなかった場合には
はずれ図柄となる図柄と背景色の組み合わせを
高速変動後
特別図柄表示部２８に表示する
コマンドを
記憶させてセットする（Ｓ１２３）。そして
特別図柄処理を終了してメインルーチンにリターンする
キ 「【００８３】
次に、図１５及び図１６を参照して、
メインルーチンのＳ１１で行われる、デモ図柄処理について説明する
デモ図柄処理では、特別図柄処理の中で
記憶されているループカウンタの値（乱数値）を用いて図柄を選択し、デモ図柄表示画面３０に表示させる
・・・略・・・
【００９５】
次に、
デモ図柄の高速変動を開始する
高速変動コマンドをセットする
そして、デモ図柄処理を終了し、メインルーチンに戻る
・・・略・・・
【００９７】
メインルーチンの次の巡目以降のデモ図柄処理では、状態フラグ記憶エリア５２ｎの状態フラグが低速変動状態を示すフラグとなっているので（Ｓ３０９：ＹＥＳ）、低速変動終了か否かを確認し（Ｓ３１１）、デモ図柄変動時間カウンタＬＣ９のカウント値が上限値（低速変動時間）に達していない場合は（Ｓ３１１：ＮＯ）、デモ図柄処理を終了して、メインルーチンに戻り、デモ図柄の低速変動を継続する。そして、
デモ図柄変動時間カウンタＬＣ９のカウント値が上限値
に達すると
全図柄停止コマンドセットを行って
記憶させる。その後、デモ図柄処理を終了してメインルーチンに戻る
ク　【図４】
ケ　【図１３】
コ　【図１４】
・認定事項
サ　段落【００３２】には「主基板４１には、・・・ＣＰＵ５１・・・が設けられており・・・ＣＰＵ５１は・・・メインルーチン・・・を・・・実行し」と記載され、【００６３】には「メインルーチンの処理が開始されると、まず制御コマンドをサブ基板に出力するコマンド出力処理が行なわれる（Ｓ１）。このコマンド出力処理では、図柄表示基板４４に特別図柄表示部２８、デモ図柄表示画面３０・・・へ図柄を表示させるためのコマンド・・・が・・・サブ統合基板５８に出力される」と記載され、段落【００３４】には「主基板４１はパチンコ機１の主制御を司り・・・サブ統合基板５８は・・・図柄表示基板４４・・・を制御している・・・図柄表示基板４４は特別図柄表示部２８，デモ図柄表示画面３０・・・に表示される図柄の制御を行い」と記載され、【図４】には、主基板４１が、サブ統合基板５８及び図柄表示基板４４を介して特別図柄表示部２８、デモ図柄表示画面３０に接続されていることが図示されているから、引用文献１には、
主基板４１は、特別図柄表示部２８、デモ図柄表示画面３０へ図柄を表示させるための制御コマンドをサブ統合基板５８に出力し、サブ統合基板５８は、主基板４１から出力された前記制御コマンドに基づいて特別図柄表示部２８、デモ図柄表示画面３０を制御する
シ　【図１４】には、「特別図柄処理」において、特別図柄変動中ではなく（Ｓ１１１がＮＯ）、大当たり（Ｓ１１９がＹＥＳ）の場合に、当たり図柄コマンドセット（Ｓ１２１）を実行し、大当たりではない（Ｓ１１９がＮＯ）場合に、はずれ図柄コマンドセット（Ｓ１２３）を実行することが図示され、段落【００８２】には「高速変動後・・・当たり図柄となる図柄と背景色の組み合わせを・・・特別図柄表示部２８に表示する・・・コマンド・・・記憶させてセットする（Ｓ１２１）・・・はずれ図柄となる図柄と背景色の組み合わせを・・・高速変動後、特別図柄表示部２８に表示する・・・コマンドを・・・記憶させてセットする（Ｓ１２３）」と記載され、【図１４】には、「特別図柄処理」において、特別図柄変動中であり（Ｓ１１１がＹＥＳ）、変動終了（Ｓ１１３がＹＥＳ）の場合に、図柄停止コマンドセット（Ｓ１１５）を実行することが図示され、段落【００７９】には「変動が終了するタイミングであれば（Ｓ１１３：ＹＥＳ）、特別図柄停止コマンドを・・・記憶させてセットする（Ｓ１１５）」と記載され、段落【００３９】には「デモ図柄表示画面３０のデモ図柄表示部Ｄ１，Ｄ２，Ｄ３に変動表示される図柄の高速変動状態（変動開始から一定の高速変動を継続している状態）・・・確定表示状態（図柄の変動が停止して確定表示を行っている状態）」と記載され、段落【００９５】には「デモ図柄の高速変動を開始する・・・高速変動コマンドをセットする」と記載され、段落【００５１】には「サブ統合基板５８への・・・確定表示状態の開始を指示する全図柄停止コマンド」と記載され、段落【００９７】には「全図柄停止コマンドセットを行って・・・記憶させる」と記載され、段落【００６３】には「コマンド出力処理では・・メインルーチンのＳ３以降の各処理にて、サブ統合基板５８に対して出力させる制御コマンド・・・が・・・記憶される。すると、メインルーチンの次の巡目のコマンド出力処理にて・・・制御コマンドが・・・サブ統合基板５８に出力される」と記載され、上記認定事項サより、サブ統合基板５８は、主基板４１から出力された前記制御コマンドに基づいて特別図柄表示部２８、デモ図柄表示画面３０を制御することが記載されていると認められるから、引用文献１には、
サブ統合基板５８は、主基板４１から出力された当たり図柄コマンド又ははずれ図柄コマンドに基づいて特別図柄表示部２８の高速変動を開始し、主基板４１から出力された特別図柄停止コマンドに基づいて特別図柄表示部２８の変動を停止し、主基板４１から出力された高速変動コマンドに基づいてデモ図柄表示画面３０の高速変動を開始し、主基板４１から出力された全図柄停止コマンドに基づいてデモ図柄表示画面３０の変動を停止する
ス　段落【００３２】には「主基板４１には・・・ＣＰＵ５１・・・が設けられており・・・ＣＰＵ５１は・・・割込信号が入力される毎に・・・メインルーチン・・・を・・・実行し」と記載され、段落【００６２】には「メインルーチン・・・は・・・一定間隔の時間・・・で・・・発生される割込みによって、実行が開始される」と記載され、【図１３】には、メインルーチンの処理が開始されると、「コマンド出力処理」（Ｓ１）、「特別図柄処理」（Ｓ９）、「デモ図柄処理」（Ｓ１１）の順に実行してメインルーチンの実行を終了することが図示され、段落【００６３】には「メインルーチンの処理が開始されると、まず制御コマンドをサブ基板に出力するコマンド出力処理が行なわれる（Ｓ１）。このコマンド出力処理では・・・特別図柄表示部２８、デモ図柄表示画面３０・・・へ図柄を表示させるためのコマンド・・・が・・・サブ統合基板５８に出力される。具体的には、メインルーチンのＳ３以降の各処理にて、サブ統合基板５８に対して出力させる制御コマンド・・・が・・・記憶される。すると、メインルーチンの次の巡目のコマンド出力処理にて・・・制御コマンドが・・・サブ統合基板５８に出力される」と記載され、段落【００７５】には「メインルーチンのＳ９で行われる特別図柄処理について・・・説明する」と記載され、段落【００８２】には「高速変動後・・・図柄と背景色の組み合わせを・・・特別図柄表示部２８に表示する・・・コマンドを・・・記憶させてセットする・・・そして・・・特別図柄処理を終了してメインルーチンにリターンする」と記載され、段落【００７９】には「特別図柄停止コマンドを・・・セットする（Ｓ１１５）・・・Ｓ１１５が終了すると、特別図柄処理を終了してメインルーチンにリターンする」と記載され、段落【００８３】には「メインルーチンのＳ１１で行われる、デモ図柄処理について説明する」と記載され、段落【００９５】には「デモ図柄の高速変動を開始する・・・高速変動コマンドをセットする・・・そして、デモ図柄処理を終了し、メインルーチンに戻る」と記載され、段落【００５１】には「サブ統合基板５８への・・・確定表示状態の開始を指示する全図柄停止コマンド」と記載され、段落【００９７】には「全図柄停止コマンドセットを行って・・・記憶させる。その後、デモ図柄処理を終了してメインルーチンに戻る」と記載されているから、引用文献１には、
主基板４１は、一定間隔の時間で発生される割込信号が入力される毎に、メインルーチンを実行し、メインルーチンの処理が開始されると、特別図柄処理とデモ図柄処理にてセットされたコマンドをサブ統合基板５８に出力するコマンド出力処理、特別図柄表示部２８へ図柄を表示させるためのコマンドをセットする特別図柄処理、デモ図柄表示画面３０へ図柄を表示させるためのコマンドをセットするデモ図柄処理、の順に実行してメインルーチンの実行を終了する
セ　【図１４】には、「特別図柄処理」において、特別図柄が変動中でない場合には、大当たりか否かの判定をし、大当たりと判定された場合には、当たり図柄コマンドをセットして特別図柄処理を終了し、大当たりと判定されなかった場合には、はずれ図柄コマンドをセットして特別図柄処理を終了し、特別図柄が変動中である場合には、変動終了か否かの判定をし、変動終了である場合は、特別図柄停止コマンドをセットして特別図柄処理を終了し、変動終了でない場合は、そのまま特別図柄処理を終了することが図示され、段落【００８２】には「大当たりと判定された場合には・・・高速変動後・・・当たり図柄となる図柄と背景色の組み合わせを・・・特別図柄表示部２８に表示する・・・コマンド・・・記憶させてセットする（Ｓ１２１）。大当たりと判定されなかった場合には・・・・・・高速変動後・・・はずれ図柄となる図柄と背景色の組み合わせを・・・特別図柄表示部２８に表示する・・・コマンド・・・記憶させてセットする（Ｓ１２３）・・・そして・・・特別図柄処理を終了してメインルーチンにリターンする」と記載され、段落【００７９】には「特別図柄が変動中か否かを判断する・・・特別図柄が変動中の場合は・・・変動が終了するタイミングかどうかを判断し・・・まだ特別図柄が変動を継続する場合には・・・特別図柄処理を終了してメインルーチンにリターンする。変動が終了するタイミングであれば・・・、特別図柄停止コマンドを・・・セットする（Ｓ１１５）・・・Ｓ１１５が終了すると、特別図柄処理を終了してメインルーチンにリターンする」と記載されているから、引用文献１には、
特別図柄処理においては、特別図柄が変動中でない場合には、大当たりか否かの判定をし、高速変動後に図柄と背景色の組み合わせを特別図柄表示部２８に表示する当たり図柄コマンド又ははずれ図柄コマンドをセットして特別図柄処理を終了し、特別図柄が変動中である場合には、変動が終了するタイミングかどうかの判定をし、まだ特別図柄が変動を継続する場合には、特別図柄処理を終了し、変動が終了するタイミングであれば、特別図柄停止コマンドをセットして特別図柄処理を終了する
　上記ア〜キの記載事項、上記ク〜コの図面の図示内容、及び、上記サ〜セの認定事項を総合勘案すると、引用文献１には、以下の発明（以下、「引用発明」という。）が記載されていると認められる。なお、ａ〜ｂ２は、本願発明の構成Ａ〜Ｂ２に対応させて付与し、引用箇所の段落番号等も付記した。
「ａ　乱数値である大当たり判定用ループカウンタＬＣ２の値が、大当たりとして決められている特定の値であるか否かを判定することで大当たりの判定を行う（【００７７】、【００８１】）とともに、大当たりの判定の結果を図柄と背景色の組み合わせにより特別図柄表示部２８へ表示させるコマンドをサブ統合基板５８に出力する主基板４１（【００３２】、【００６７】、【００２６】、【００６３】）と、主基板４１から出力されたコマンドに基づいて特別図柄表示部２８に表示される図柄の制御を行うサブ統合基板５８（認定事項サ）と、を備え、
　ｂ　サブ統合基板５８は、デモ図柄表示画面３０に表示される図柄の制御を行い（【００３４】）、
　ａ１　主基板４１は、デモ図柄表示画面３０へ図柄を表示させるためのコマンドをサブ統合基板５８に出力する（【００３２】、【００６３】）、
　ｃ　パチンコ機１（【００２０】）であって、
　ａ２　大当たりとして決められている値は、通常確率状態では、特定の１つの値であり、一方、高確率状態では、複数の特定の値であり（【００８１】）、
　ａ３  主基板４１は、一定間隔の時間で発生される割込信号が入力される毎に、メインルーチンを実行し、メインルーチンの処理が開始されると、特別図柄処理とデモ図柄処理にてセットされたコマンドをサブ統合基板５８に出力するコマンド出力処理、特別図柄表示部２８へ図柄を表示させるためのコマンドをセットする特別図柄処理、デモ図柄表示画面３０へ図柄を表示させるためのコマンドをセットするデモ図柄処理、の順に実行してメインルーチンの実行を終了し（認定事項ス）、一方、サブ統合基板５８は、前記コマンド出力処理にて出力されたコマンドに基づいて特別図柄表示部２８及びデモ図柄表示画面３０の図柄変動の開始又は停止を制御し（【００６３】、認定事項シ）、
　ａ４　主基板４１は、前記特別図柄処理において、前記大当たりの判定の結果に基づいて、特別図柄表示部２８の変動を開始させる当たり図柄コマンド又ははずれ図柄コマンドをセットして当該特別図柄処理を終了し（認定事項セ）、一定間隔の時間経過後に発生される次の割込信号によって実行されるメインルーチンの前記コマンド出力処理において、当該セットされた当たり図柄コマンド又ははずれ図柄コマンドをサブ統合基板５８に出力し（認定事項ス）、サブ統合基板５８は、当該当たり図柄コマンド又ははずれ図柄コマンドに基づいて特別図柄表示部２８の変動を開始し（認定事項シ）、さらに、前記当たり図柄コマンド又ははずれ図柄コマンドを出力したコマンド出力処理と同じメインルーチンであり当該コマンド出力処理より後に実行される特別図柄処理においては、特別図柄が変動中であっても、図柄の変動が終了するタイミングでなければ、特別図柄表示部２８の変動を停止させる特別図柄停止コマンドをセットしないで当該特別図柄処理を終了し（認定事項ス、セ）、一定間隔の時間経過後に発生される次の割込信号によって実行されるメインルーチンの前記コマンド出力処理においても、前記特別図柄停止コマンドをサブ統合基板５８に出力せず、サブ統合基板５８は、特別図柄表示部２８の特別図柄変動を継続し（【００６３】、認定事項サ）、
　ａ５　主基板４１は、前記当たり図柄コマンド又ははずれ図柄コマンドをセットした特別図柄処理と同じメインルーチンで実行されるデモ図柄処理において、デモ図柄表示画面３０の高速変動を開始させる高速変動コマンドをセットしてデモ図柄処理を終了し（【００６８】、【００７４】、【００８３】、【００９５】、認定事項ス）、一定間隔の時間経過後に発生される次の割込信号によって実行されるメインルーチンの、前記当たり図柄コマンド又ははずれ図柄コマンドをサブ統合基板５８に出力するコマンド出力処理と同じコマンド出力処理において、当該高速変動コマンドもサブ統合基板５８に出力し（認定事項ス）、
　ｂ１　サブ統合基板５８は、前記当たり図柄コマンド又ははずれ図柄コマンドをサブ統合基板５８に出力したコマンド出力処理と同じコマンド出力処理において出力された、前記高速変動コマンドに基づいてデモ図柄の変動を開始し（認定事項サ、シ）、
　ｂ２　主基板４１は、前記特別図柄処理において、特別図柄が変動中であって、特別図柄の変動が終了するタイミングであれば、前記特別図柄停止コマンドをセットして特別図柄処理を終了し（認定事項セ）、一定間隔の時間経過後に発生される次の割込信号によって実行されるメインルーチンのコマンド出力処理において当該特別図柄停止コマンドをサブ統合基板５８に出力し（認定事項ス）、サブ統合基板５８は、主基板４１から出力された前記特別図柄停止コマンドに基づいて特別図柄表示部２８の変動を停止し（認定事項シ）、一方、前記デモ図柄処理において、デモ図柄が変動中である場合で、デモ図柄変動時間カウンタＬＣ９のカウント値が上限値に達すると、全図柄停止コマンドをセットしてデモ図柄処理を終了し（【００３２】、【００５１】、【００９７】）、一定間隔の時間経過後に発生される次の割込信号によって実行されるメインルーチンのコマンド出力処理において当該全図柄停止コマンドをサブ統合基板５８に出力し（認定事項ス）、サブ統合基板５８は、主基板４１から出力された当該全図柄停止コマンドに基づいてデモ図柄表示画面３０の変動を停止する（認定事項シ）、パチンコ機１。」
第５　対比  
　本願発明と引用発明とを対比する（対比にあたっては、本願発明の構成Ａ〜Ｂ２と引用発明の構成ａ〜ｂ２について、それぞれ（ａ）〜（ｂ２）の見出しを付して行った。）。 
（ａ）引用発明の「乱数値である大当たり判定用ループカウンタＬＣ２の値が、大当たりとして決められている特定の値であるか否かを判定する」「主基板４１」は、乱数値に基づいて所定の確率で「特定の値であるか否かを判定」していることは明らかであるから、本願発明の「所定の確率に応じて抽選を実行する」「主制御手段」に相当する。
　また、引用発明の「大当たりの判定の結果を図柄と背景色の組み合わせにより特別図柄表示部２８へ表示」することは、本願発明の「抽選の結果に基づいて特別図柄を表示する」ことに相当し、引用発明の「特別図柄表示部２８に表示される図柄の制御を行う」ことは、本願発明の「特別図柄を表示する特別図柄表示装置を制御する」ことと、制御内容において共通する。
　さらに、引用発明における構成ａの「大当たりの判定の結果を図柄と背景色の組み合わせにより特別図柄表示部２８へ表示させるコマンドをサブ統合基板５８に出力」する「主基板４１」と、「主基板４１から出力されたコマンドに基づいて特別図柄表示部２８に表示される図柄の制御を行う」「サブ統合基板５８」とを合わせたものと、本願発明の「抽選の結果に基づいて特別図柄を表示する特別図柄表示装置を制御する」「主制御手段」とは、「所定の確率に応じて抽選を実行するとともに前記抽選の結果に基づいて特別図柄を表示する特別図柄表示装置を制御する」「制御手段」である点で共通する。
　そうすると、引用発明における構成ａの「乱数値である大当たり判定用ループカウンタＬＣ２の値が、大当たりとして決められている特定の値であるか否かを判定することで大当たりの判定を行うとともに、大当たりの判定の結果を図柄と背景色の組み合わせにより特別図柄表示部２８へ表示させるコマンドをサブ統合基板５８に出力」する「主基板４１」及び「主基板４１から出力されたコマンドに基づいて特別図柄表示部２８に表示される図柄の制御を行う」「サブ統合基板５８」と、本願発明における構成Ａの「所定の確率に応じて抽選を実行するとともに前記抽選の結果に基づいて特別図柄を表示する特別図柄表示装置を制御する」「主制御手段」とは、いずれも、「所定の確率に応じて抽選を実行する」「主制御手段」と、「前記抽選の結果に基づいて特別図柄を表示する特別図柄表示装置を制御する」「制御手段」とを備える点で共通する。
（ｂ）引用発明の「デモ図柄表示画面３０」は、「図柄」を「表示」するものであるから、本願発明の「演出図柄を表示する演出図柄表示装置」に相当する。
　そうすると、引用発明における構成ｂの「デモ図柄表示画面３０に表示される図柄の制御を行」う「サブ統合基板５８」は、本願発明における構成Ｂの「演出図柄を表示する演出図柄表示装置を制御する副制御手段」に相当する。
（ａ１）上記（ｂ）からすると、引用発明の「デモ図柄表示画面３０へ図柄を表示させるためのコマンド」は、本願発明の「前記演出図柄表示装置に表示される前記演出図柄を制御するためのコマンド」に相当する。
　そうすると、引用発明における構成ａ１の「主基板４１は、デモ図柄表示画面３０へ図柄を表示させるためのコマンドをサブ統合基板５８に出力する」ことは、本願発明における構成Ａ１の「主制御手段が前記演出図柄表示装置に表示される前記演出図柄を制御するためのコマンドを前記副制御手段に対して送信可能」であることに相当する。
（ｃ）引用発明における構成ｃの「パチンコ機１」は、本願発明における構成Ｃの「遊技機」に相当する。
（ａ２）引用発明において、「大当たりとして決められている値」が「複数の特定の値」である「高確率状態」は、「大当たりとして決められている値」が「特定の１つの値」のみである「通常確率状態」よりも、「特定の値」の数が多く、その結果として、「大当たり判定用ループカウンタＬＣ２の値」が「特定の値」となる確率（つまり、大当たりの確率）が高くなるから、遊技者に有利であることは明らかである。
　そうすると、引用発明における構成ａ２の「通常確率状態」及び「高確率状態」は、それぞれ、本願発明における構成Ａ２の「通常確率状態」及び「通常確率状態よりも遊技者に有利な確率変動状態」に相当する。
（ａ３）上記（ａ）と同様に、引用発明においては、「主基板４１」が「特別図柄表示部２８へ図柄を表示させるためのコマンドをセットする特別図柄処理」を実行し、「特別図柄処理」「にてセットされたコマンドをサブ統合基板５８に出力するコマンド出力処理」を実行するものであるところ、「サブ統合基板５８」が「前記コマンド出力処理にて出力されたコマンドに基づいて特別図柄表示部」「の図柄変動の開始又は停止を制御」することは、「特別図柄表示部２８」に表示される「図柄変動」「を制御」しているといえるから、引用発明の「特別図柄表示部２８へ図柄を表示させるためのコマンドをセットする特別図柄処理」を実行し、「特別図柄処理」「にてセットされたコマンドをサブ統合基板５８に出力するコマンド出力処理」を実行する「主基板４１」と、「主基板４１から出力されたコマンドに基づいて特別図柄表示部２８」「の図柄変動の開始又は停止を制御」する「サブ統合基板５８」とを合わせたものと、本願発明の「前記特別図柄を表示制御するための処理を行う特別遊技管理処理」を含む「主制御手段」とは、いずれも、「特別図柄を表示制御するための処理を行う」「制御手段」である点で共通する。
　また、引用発明において、「主基板４１」が「デモ図柄処理にてセットされたコマンドをサブ統合基板５８に出力するコマンド出力処理を実行」することは、本願発明の「主制御手段」が「コマンドを前記副制御手段に送信するための処理を行うコマンド出力管理処理と、を含」むことに相当する。
　そうすると、引用発明における構成ａ３の「主基板４１は、一定間隔の時間で発生される割込信号が入力される毎に、メインルーチンを実行し、メインルーチンの処理が開始されると、特別図柄処理とデモ図柄処理にてセットされたコマンドをサブ統合基板５８に出力するコマンド出力処理、特別図柄表示部２８へ図柄を表示させるためのコマンドをセットする特別図柄処理、デモ図柄表示画面３０へ図柄を表示させるためのコマンドをセットするデモ図柄処理、の順に実行してメインルーチンの実行を終了し、一方、サブ統合基板５８は、前記コマンド出力処理にて出力されたコマンドに基づいて特別図柄表示部２８及びデモ図柄表示画面３０の図柄変動の開始又は停止を制御」することは、本願発明における構成Ａ３の「前記主制御手段は、前記特別図柄を表示制御するための処理を行う特別遊技管理処理と、前記コマンドを前記副制御手段に送信するための処理を行うコマンド出力管理処理と、を含み」とは、いずれも、「制御手段」が、「特別図柄を表示制御するための処理を行」い、「主制御手段は、前記コマンドを前記副制御手段に送信するための処理を行うコマンド出力管理処理を含」む点で共通する。
（ａ４）上記（ａ）及び（ａ３）と同様に、引用発明において、「主基板４１」が「前記特別図柄処理において、前記大当たりの判定の結果に基づいて、特別図柄表示部２８の変動を開始させる当たり図柄コマンド又ははずれ図柄コマンドをセット」し、「前記コマンド出力処理において、当該セットされた当たり図柄コマンド又ははずれ図柄コマンドをサブ統合基板５８に出力し」、「サブ統合基板５８」が「当該当たり図柄コマンド又ははずれ図柄コマンドに基づいて特別図柄表示部２８の高速変動を開始」することと、本願発明の「主制御手段」が「特別遊技管理処理にて前記抽選の結果に基づいて前記特別図柄を変動表示するための処理を開始」することとは、いずれも、「制御手段」が「所定の処理にて前記抽選の結果に基づいて前記特別図柄を変動表示するための処理を開始」する点で共通する。
　また、引用発明においては、「主基板４１」が、「前記コマンド出力処理において、当該セットされた当たり図柄コマンド又ははずれ図柄コマンドをサブ統合基板５８に出力」することで「サブ統合基板５８」が「当該当たり図柄コマンド又ははずれ図柄コマンドに基づいて特別図柄表示部２８の高速変動を開始」するものであり、かつ、「主基板４１」が実行する「当たり図柄コマンド又ははずれ図柄コマンドを出力した」「コマンド出力処理」「より後に」「実行される特別図柄処理」においては、特別図柄が変動中であっても、図柄の変動が終了するタイミングでなければ、サブ統合基板５８は、特別図柄表示部２８の特別図柄変動を継続するものであるから、引用発明において、「前記大当たりの判定の結果に基づいて、特別図柄表示部２８の変動を開始させる当たり図柄コマンド又ははずれ図柄コマンドをセットして当該特別図柄処理を終了し、一定間隔の時間経過後に発生される次の割込信号によって実行されるメインルーチンのコマンド出力処理において、当該セットされた当たり図柄コマンド又ははずれ図柄コマンドをサブ統合基板５８に出力し、サブ統合基板５８は、当該当たり図柄コマンド又ははずれ図柄コマンドに基づいて特別図柄表示部２８の変動を開始」することが「先に実行される処理」といえ、そして、「前記当たり図柄コマンド又ははずれ図柄コマンドを出力したコマンド出力処理と同じメインルーチンであり当該コマンド出力処理後に実行される特別図柄処理においては、特別図柄が変動中であっても、図柄の変動が終了するタイミングでなければ、特別図柄表示部２８の変動を停止させる特別図柄停止コマンドをセットしないで当該特別図柄処理を終了し、一定間隔の時間経過後に発生される次の割込信号によって実行されるメインルーチンの前記コマンド出力処理においても、前記特別図柄停止コマンドをサブ統合基板５８に出力せず、サブ統合基板５８は、特別図柄表示部２８の変動を継続する」ことが「その後に実行される処理」であるといえる。
　そうすると、引用発明における構成ａ４の「主基板４１は、前記特別図柄処理において、前記大当たりの判定の結果に基づいて、特別図柄表示部２８の変動を開始させる当たり図柄コマンド又ははずれ図柄コマンドをセットして当該特別図柄処理を終了し、一定間隔の時間経過後に発生される次の割込信号によって実行されるメインルーチンのコマンド出力処理において、当該セットされた当たり図柄コマンド又ははずれ図柄コマンドをサブ統合基板５８に出力し、サブ統合基板５８は、当該当たり図柄コマンド又ははずれ図柄コマンドに基づいて特別図柄表示部２８の変動を開始し、さらに、前記当たり図柄コマンド又ははずれ図柄コマンドを出力したコマンド出力処理と同じメインルーチンであり当該コマンド出力処理より後に実行される特別図柄処理においては、特別図柄が変動中であっても、図柄の変動が終了するタイミングでなければ、特別図柄表示部２８の変動を停止させる特別図柄停止コマンドをセットしないで当該特別図柄処理を終了し、一定間隔の時間経過後に発生される次の割込信号によって実行されるメインルーチンの前記コマンド出力処理においても、前記特別図柄停止コマンドをサブ統合基板５８に出力せず、サブ統合基板５８は、特別図柄表示部２８の特別図柄変動を継続」することと、本願発明における構成Ａ４の「先に実行される前記特別遊技管理処理にて前記抽選の結果に基づいて前記特別図柄を変動表示するための処理を開始し、その後に実行される前記特別遊技管理処理にて前記特別図柄を変動表示する制御を継続して実行」することとは、いずれも、「制御手段」が「先に実行される処理にて前記抽選の結果に基づいて前記特別図柄を変動表示するための処理を開始し、その後に実行される処理にて前記特別図柄を変動表示する制御を継続して実行する」点で共通する。
（ａ５）引用発明の「主基板４１」が「コマンド出力処理において、当該高速変動コマンドもサブ統合基板５８に出力」することは、本願発明の「主制御手段」が「コマンド出力管理処理にて前記コマンドを前記副制御手段に対して送信するための処理を行」うことに相当する。
　そうすると、引用発明における構成ａ５の「主基板４１は、前記当たり図柄コマンド又ははずれ図柄コマンドをセットした特別図柄処理と同じメインルーチンで実行されるデモ図柄処理において、デモ図柄表示画面３０の高速変動を開始させる高速変動コマンドをセットしてデモ図柄処理を終了し、一定間隔の時間経過後に発生される次の割込信号によって実行されるメインルーチンの、前記当たり図柄コマンド又ははずれ図柄コマンドをサブ統合基板５８に出力するコマンド出力処理と同じコマンド出力処理において、当該高速変動コマンドもサブ統合基板５８に出力」することと、本願発明における構成Ａ５の「前記特別図柄を変動表示するための処理を開始したときの前記特別遊技管理処理よりも後に発生する割り込み処理において実行される前記コマンド出力管理処理にて前記コマンドを前記副制御手段に対して送信するための処理を行」うこととは、いずれも、「主制御手段」が「前記コマンド出力管理処理にて前記コマンドを前記副制御手段に対して送信するための処理を行」う点で共通する。
（ｂ１）引用発明の「サブ統合基板５８」が「出力された前記高速変動コマンドに基づいてデモ図柄の変動を開始」することは、本願発明の「前記副制御手段」が「前記コマンドに基づいて前記演出図柄の変動表示を開始させる」ことに相当する。
　そうすると、引用発明における構成ｂ１の「サブ統合基板５８は、前記当たり図柄コマンド又ははずれ図柄コマンドをサブ統合基板５８に出力したコマンド出力処理と同じコマンド出力処理において出力された前記高速変動コマンドに基づいてデモ図柄の変動を開始」することと、本願発明における構成Ｂ１の「前記副制御手段は、前記特別図柄の変動表示開始タイミングよりも前記割り込み処理の周期分の時間差によって生じる所定期間だけ遅れて、前記コマンドに基づいて前記演出図柄の変動表示を開始させ」ることとは、いずれも、「前記副制御手段は、前記コマンドに基づいて前記演出図柄の変動表示を開始させる」点で共通する。
（ｂ２）引用発明の「サブ統合基板５８」が「主基板４１から出力された当該全図柄停止コマンドに基づいてデモ図柄表示画面３０の変動を停止する」ことは、本願発明の「副制御手段」が「演出図柄の変動表示を終了させる」に相当する。
　そうすると、引用発明における構成ｂ２の「主基板４１は、前記特別図柄処理において、特別図柄が変動中であって、特別図柄の変動が終了するタイミングであれば、前記特別図柄停止コマンドをセットして特別図柄処理を終了し、一定間隔の時間経過後に発生される次の割込信号によって実行されるメインルーチンのコマンド出力処理において当該特別図柄停止コマンドをサブ統合基板５８に出力し、サブ統合基板５８は、主基板４１から出力された前記特別図柄停止コマンドに基づいて特別図柄表示部２８の変動を停止し、一方、メインルーチンの前記デモ図柄処理において、デモ図柄が変動中である場合で、デモ図柄変動時間カウンタＬＣ９のカウント値が上限値に達すると、全図柄停止コマンドをセットしてデモ図柄処理を終了し、一定間隔の時間経過後に発生される次の割込信号によって実行されるメインルーチンのコマンド出力処理において当該全図柄停止コマンドをサブ統合基板５８に出力し、サブ統合基板５８は、主基板４１から出力された当該全図柄停止コマンドに基づいてデモ図柄表示画面３０の変動を停止する」ことと、本願発明における構成Ｂ２の「副制御手段は、前記特別図柄の変動表示終了タイミングよりも前記所定期間と同じ期間だけ遅れて、前記演出図柄の変動表示を終了させる」こととは、いずれも、「副制御手段」が「前記演出図柄の変動表示を終了させる」点で共通する。
　よって、両者は、次の点で一致し、相違点１〜６で相違する。
［一致点］  
「Ａ’所定の確率に応じて抽選を実行する主制御手段と、前記抽選の結果に基づいて特別図柄を表示する特別図柄表示装置を制御する制御手段と、
　Ｂ　演出図柄を表示する演出図柄表示装置を制御する副制御手段、を備え、
　Ａ１　前記主制御手段が前記演出図柄表示装置に表示される前記演出図柄を制御するためのコマンドを前記副制御手段に対して送信可能な
　Ｃ　遊技機において、
　Ａ２　前記所定の確率は、通常確率状態と、該通常確率状態よりも遊技者に有利な確率変動状態と、を有し、
　Ａ３’前記制御手段は、特別図柄を表示制御するための処理を行い、主制御手段は、前記コマンドを前記副制御手段に送信するための処理を行うコマンド出力管理処理を含み、
　Ａ４’前記制御手段は、先に実行される処理にて前記抽選の結果に基づいて前記特別図柄を変動表示するための処理を開始し、その後に実行される処理にて前記特別図柄を変動表示する制御を継続して実行する一方、
　Ａ５’前記主制御手段は、前記コマンド出力管理処理にて前記コマンドを前記副制御手段に対して送信するための処理を行い、
　Ｂ１’前記副制御手段は、前記コマンドに基づいて前記演出図柄の変動表示を開始させるとともに、
　Ｂ２’前記副制御手段は、前記演出図柄の変動表示を終了させることを特徴とする遊技機。」 
 
［相違点１］（構成Ａ）
　上記一致点における構成Ａ’の「前記抽選の結果に基づいて特別図柄を表示する特別図柄表示装置を制御する」処理に関し、
　本願発明においては、「主制御手段」が上記処理を実行するのに対し、
　引用発明においては、「主基板４１」が「大当たりの判定の結果を図柄と背景色の組み合わせにより特別図柄表示部２８へ表示させるコマンドをサブ統合基板５８に出力」し、さらに、「サブ統合基板５８」が「サブ統合基板５８」が「主基板４１から出力されたコマンドに基づいて特別図柄表示部２８に表示される図柄の制御を行」っている点。
［相違点２］（構成Ａ３）
　上記一致点における構成Ａ３’の「特別図柄を表示制御するための処理」に関し、
　本願発明においては、「主制御手段」が含む「特別遊技管理処理」にて実行されるのに対し、
　引用発明においては、「制御手段」である「主基板４１」が実行する「特別図柄処理」にて「特別図柄表示部２８へ図柄を表示させるためのコマンドをセット」し、当該「主基板４１」が実行する「コマンド出力処理」にて当該「特別図柄処理にてセットされたコマンドをサブ統合基板５８に出力」し、「制御手段」である「サブ統合基板５８」が「前記コマンド出力処理にて出力されたコマンドに基づいて特別図柄表示部２８を制御」している点。
［相違点３］（構成Ａ４）
　上記一致点における構成Ａ４’の「先に実行される処理」及び「その後に実行される処理」に関し、
　本願発明においては、「主制御手段」が実行する「特別遊技管理処理」であるのに対し、
　引用発明においては、「制御手段」である「主基板４１」が「コマンドをセットする特別図柄処理」、「制御手段」である「主基板４１」が当該「特別図柄処理にてセットされたコマンドをサブ統合基板５８に出力するコマンド出力処理」、及び、「制御手段」である「サブ統合基板５８」が「主基板４１から出力されたコマンドに基づいて特別図柄表示部２８の変動を開始又は停止」する処理を合わせたものである点。
［相違点４］（構成Ａ５）
　上記一致点における構成Ａ５’の「主制御手段が前記コマンド出力管理処理にて前記コマンドを前記副制御手段に対して送信するための処理を行」うタイミングに関し、
　本願発明においては、「前記特別図柄を変動表示するための処理を開始したときの前記特別遊技管理処理よりも後に発生する割り込み処理において実行される」「前記コマンド出力管理処理」であるのに対し、
　引用発明においては、「制御手段」である「主基板４１」が「前記当たり図柄コマンド又ははずれ図柄コマンドをセットした特別図柄処理を終了し、一定間隔の時間経過後に発生される次の割込信号によって実行されるメインルーチンの、前記当たり図柄コマンド又ははずれ図柄コマンドをサブ統合基板５８に出力するコマンド出力処理」「と同じ」「コマンド出力処理」である点。
［相違点５］（構成Ｂ１）
　上記一致点における構成Ｂ１’の「前記副制御手段は、前記コマンドに基づいて前記演出図柄の変動表示を開始させる」タイミングに関し、
　本願発明においては、「前記特別図柄の変動表示開始タイミングよりも前記割り込み処理の周期分の時間差によって生じる所定期間だけ遅れて」いるのに対し、
　引用発明においては、「前記当たり図柄コマンド又ははずれ図柄コマンドをサブ統合基板５８に出力したコマンド出力処理」「と同じ」「コマンド出力処理」において出力された前記高速変動コマンドに基づいてデモ図柄の変動を開始する点。
［相違点６］（構成Ｂ２）
　上記一致点における構成Ｂ２’の「前記副制御手段」が「前記演出図柄の変動表示を終了させる」タイミングに関し、
　本願発明においては、「前記特別図柄の変動表示終了タイミングよりも前記所定期間と同じ期間だけ遅れている」のに対し、
　引用発明においては、そのような特定がなされていない点。
第６　当審の判断
　以下、上記相違点について検討する。 
ア　相違点１〜３（構成Ａ、Ａ３、Ａ４）について
　相違点１〜３は、特別図柄の表示に関する点で共通するので、まとめて検討する。
　遊技機の分野において、主制御部に特別図柄表示部を設け、サブ制御部に装飾図柄表示部を設けることにより、特別図柄を変動表示する際には、主制御部からサブ制御部へ制御コマンド送信せずに、主制御部が直接特別図柄表示部を制御することは、本願の遡及日前に当業者に広く知られた技術事項である（例えば、当審拒絶理由で引用され、本願の遡及日前に頒布された特開２００６−１４７５９号公報（【００４１】、【００４３】、【図５】には、主基板１１が、第１可変表示装置４Ａにおける特別図柄の可変表示を制御し、主基板１１から特別図柄の可変表示が開始されるとき送信される第１可変表示開始コマンドを受信したことに応答して、表示制御基板１２の側で、第３可変表示装置４Ｃによる飾り図柄の可変表示を開始することが記載されている。）、当審拒絶理由で引用され、本願の遡及日前に頒布された特開２００５−１１０９５３号公報（【００３０】、【図３】には、メイン制御部７０において、特別図柄の変動表示を開始すると、変動開始指示をサブ制御部８０に送り、表示特別図柄の変動時間が終了するタイミングで、特別図柄の停止図柄を表示し、変動表示の停止指示をサブ制御部８０へ送り、サブ制御部８０は、変動開始指示を受け取ると、装飾図柄の変動表示を開始し、変動表示の停止指示を受け取ると、装飾図柄の停止図柄を表示することが記載されている。）、本願の遡及日前に頒布された特開２００５−３０４６１６号公報（【０００９】、【００３２】、【００３３】、【図３】には、主制御部によって直接的に駆動制御されて前記抽選結果を表示する表示部と、主制御部から受けた演出制御用のコマンドに基づいて演出動作を実行するサブ制御部を区別することで、主制御部３０の負荷を軽減することが記載されている。）、及び、本願の遡及日前に頒布された特開２００６−３３０号公報（【０００３】には、主制御回路が、特別図柄用可変表示装置における特別図柄の可変表示制御処理と表示制御回路への可変表示制御信号の出力処理を行い、表示制御回路は、主制御回路から出力された可変表示制御信号に基づいて装飾図柄用表示装置における装飾図柄の可変表示制御を行うようにすることにより、主制御回路の処理負担を軽減しながら、装飾図柄用表示装置に多種多様な可変表示態様で装飾図柄を可変表示させることが記載されている。）等を参照。以下「周知の技術事項１」という。）。
　そして、引用発明と上記周知の技術事項１とは、特別図柄表示部と装飾図柄表示部とを備えた遊技機である点で共通する。
　そうすると、引用発明に上記周知の技術事項１を適用し、特別図柄表示部２８をサブ統合基板５８ではなく主基板４１に設けることで、主基板４１の「特別図柄表示部２８へ図柄を表示させるためのコマンドをセットする特別図柄処理」において、直接特別図柄表示部２８を制御するようにすることにより、その後に、「主基板４１」が「コマンド出力処理」にて当該「特別図柄処理にてセットされたコマンドをサブ統合基板５８に出力」すること、及び、「サブ統合基板５８」が「前記コマンド出力処理にて出力されたコマンドに基づいて特別図柄表示部２８を制御」することなく、特別図柄の変動表示を開始するように構成し、上記相違点１〜３に係る本願発明の構成とすることは、当業者が容易になし得ることである。 
イ　相違点４（構成Ａ５）について
　上記「ア　相違点１〜３（構成Ａ、Ａ３、Ａ４）について」で述べたように、引用発明に上記周知の技術事項１を適用することにより、「前記当たり図柄コマンド又ははずれ図柄コマンドをセットした特別図柄処理」において、「特別図柄を変動表示するための処理」を開始するようにすると、その結果として、引用発明の構成ａ５においては、「特別図柄を変動表示するための処理を開始した特別図柄処理」と同じメインルーチンで実行されるデモ図柄処理において、デモ図柄表示画面３０の高速変動を開始させる高速変動コマンドをセットしてデモ図柄処理を終了し、一定間隔の時間経過後に発生される次の割込信号によって実行されるメインルーチンのコマンド出力処理において、当該高速変動コマンドもサブ統合基板５８に出力することとなることは明らかである。
　よって、引用発明に上記周知の技術事項１を適用することにより、上記相違点４に係る本願発明の構成とすることは、当業者が容易になし得たことである。 
ウ　相違点５（構成Ｂ１）について
　上記「イ　相違点４（構成Ａ５）について」で述べたように、引用発明に上記周知の技術事項１を適用することにより、「特別図柄を変動表示するための処理を開始した特別図柄処理」の一定間隔の時間経過後に発生される次の割込信号によって実行されるメインルーチンのコマンド出力処理において、当該高速変動コマンドもサブ統合基板５８に出力するようにすると、その結果として、引用発明の構成ｂ１の「サブ統合基板５８」が「コマンド出力処理において出力された前記高速変動コマンドに基づいてデモ図柄の変動を開始」するタイミングについても、「特別図柄を変動表示するための処理を開始した特別図柄処理」の一定間隔の時間経過後に発生される次の割込信号によって実行されるメインルーチンの実行時（本願発明の構成Ｂ１の「割り込み処理の周期分の時間差によって生じる所定期間だけ遅れて」に相当）となることは明らかである。
　よって、引用発明に上記周知の技術事項１を適用することにより、上記相違点５に係る本願発明の構成とすることは、当業者が容易になし得たことである。 
エ　相違点６（構成Ｂ２）について
　まず、引用発明の構成ｂ２においては、サブ統合基板５８が主基板４１から出力された特別図柄停止コマンド及び全図柄停止コマンドに基づいて特別図柄表示部２８及びデモ図柄表示画面３０に表示される図柄の変動を停止することが特定されているものの、引用発明においては、特別図柄表示部２８の特別図柄の変動終了の条件（つまり、特別図柄の変動が終了するタイミング）と、デモ図柄表示画面３０に表示されるデモ図柄の変動終了条件（つまり、デモ図柄変動時間カウンタＬＣ９のカウント値が上限値となるタイミング）との関係について何ら明らかにするものではない。
　しかしながら、遊技機の分野において、特別図柄表示と装飾図柄表示の同期を取るために、主制御部の特別図柄表示部の変動時間と、サブ制御部の装飾図柄表示部でのデモ図柄変動時間を同じ時間とすることは、本願の遡及日前に当業者に広く知られた技術事項である（例えば、当審拒絶理由で引用され、本願の遡及日前に頒布された特開２００６−１４７５９号公報（【００４３】には、主基板１１が、第１可変表示装置４Ａにおける特別図柄の可変表示を制御し、表示制御基板１２が第３可変表示装置４Ｃにおける飾り図柄の可変表示を制御する遊技機において、主基板１１が第１可変表示装置４Ａの特別図柄の可変表示が開始されるときに第１表示開始コマンドを送信し、表示制御基板１２の側で第１可変表示開始コマンドを受信したことに応答して第３可変表示装置４Ｃにおける飾り図柄の可変表示を開始し、一方、第１可変表示装置４Ａの特別図柄の可変表示が終了するときに第１可変表示終了コマンドを送信し、表示制御基板１２の側で第１可変表示終了コマンドを受信したことに応答して第３可変表示装置４Ｃにて可変表示されていた飾り図柄を停止表示させることが記載されている。）、及び、当審拒絶理由で引用され、本願の遡及日前に頒布された特開２００５−１１０９５３号公報（【０００５】、【００２９】には、特別図柄の変動表示が開始すると、それを契機として装飾図柄も変動表示を開始し、特別図柄が停止すると、装飾図柄の変動表示もそれと同期して停止することで、装飾図柄が特別図柄の変動表示の時間と同等の時間、変動表示されることが記載されている。）を参照。以下「周知の技術事項２」という。）と共に、当業者における技術常識である。
　また、引用発明と上記周知の技術事項２とは、特別図柄表示部と装飾図柄表示部とを備えた遊技機である点で共通する。
　そうすると、引用発明に周知の技術事項２を適用することにより、若しくは、当業者の技術常識を考慮して、引用発明の構成ｂ２’において、特別図柄表示部２８とデモ図柄表示画面３０の変動時間を同じ変動時間とし、特別図柄表示部２８及びデモ図柄表示画面３０に表示される図柄の変動時間が当該期間を経過することを変動終了条件とすることは当業者が容易に想到し得るものである。
　そして、上述の構成に対して、上記「ウ　相違点５（構成Ｂ１）について」で述べたとおり、引用発明に周知の技術事項１を適用することで、「主基板４１」が「特別図柄を変動表示するための処理を開始した特別図柄処理」の一定間隔の時間経過後に発生される次の割込信号によって実行されるメインルーチンの実行時に「サブ統合基板５８」が「デモ図柄の変動を開始」するようにしたものは、結果として、サブ統合基板５８が主基板４１から出力された当該全図柄停止コマンドに基づいてデモ図柄表示画面３０の変動を停止する（本願発明の「演出図柄の変動表示を終了させる」に相当）タイミングについても、「主基板４１」が「特別図柄変動を停止した特別図柄処理」より、一定間隔の時間経過後に発生される次の割込信号によって実行されるメインルーチンの実行時（本願発明の「割り込み処理の周期分の時間差によって生じる所定期間だけ遅れて」に相当）となることは明らかである。 
　よって、引用発明に上記周知の技術事項１及び２を適用することにより、上記相違点６に係る本願発明の構成とすることは、当業者が容易になし得ることである。 
エ　請求人の主張について 
　審判請求人は、平成３０年１２月２０日付け意見書において、本願発明の進歩性に関して、次のとおり主張している。
「２．本願発明が特許されるべき理由
・・・略・・・
（２−２）補正後の本願発明と引用文献との対比
　補正後の請求項１に係る発明（以下、「本願補正発明」という）は、今般の補正により、上記発明特定事項を具備し、この構成により下記（ａ）〜(ｃ)の効果を奏します。
（ａ）主制御手段の負担を軽減させつつも、確率変動状態を副制御手段に確実に通知可能となる。
（ｂ）主制御手段は、先に実行される特別遊技管理処理にて抽選の結果に基づいて特別図柄を表示する制御を開始し、その後に発生する割り込み処理において実行されるコマンド出力管理処理にて演出制御対象の制御を開始させるためのコマンドを副制御手段に対して送信するため、特別図柄を変動表示する制御を開始した後に確実にコマンドを副制御手段に対して送信することが可能となり、制御処理の確実性や安定性を向上することに繋がる。
（ｃ）副制御手段は、特別図柄の変動表示開始タイミングよりも割り込み処理の周期分の時間差によって生じる所定期間だけ遅れてコマンドに基づいて演出図柄の変動表示を開始させ、そのタイミングに関連して、特別図柄の変動表示終了タイミングよりも前述の所定期間と同じ期間だけ遅れて演出図柄の変動表示を終了させるため、特別図柄の変動表示開始から終了のタイミングと、演出図柄の変動表示開始から終了のタイミングとを合わせることで、それぞれの図柄変動時間を統一させて遊技の違和感を出さないようにすることができる。
　これに対し、各引用文献に記載された発明においては、本願補正発明のように、「前記副制御手段は、前記特別図柄の変動表示開始タイミングよりも前記割り込み処理の周期分の時間差によって生じる所定期間だけ遅れて、前記コマンドに基づいて前記演出図柄の変動表示を開始させるとともに、前記特別図柄の変動表示終了タイミングよりも前記所定期間と同じ期間だけ遅れて、前記演出図柄の変動表示を終了させる」ことに関する開示も示唆もありません。
　先般の拒絶理由通知では、相違点２について「引用発明に上記周知の技術事項を適用したものは、結果として、サブ統合基板５８が、コマンド出力処理にて出力されたコマンドに基づいてデモ図柄の変動表示を「開始」又は「終了」するタイミングについても、特別図柄処理（つまり、特別図柄を変動表示するための処理）の一定間隔の時間経過後（本願発明の「所定の時間だけ遅れる」に相当）となることは明らかである。」と認定されております。
　しかしながら、引用文献２も３も特別図柄の変動表示開始タイミングよりも割り込み処理の周期分の時間差によって生じる所定期間だけ遅れて演出図柄の変動表示を開始させること、加えて、そのタイミングに関連して、特別図柄の変動表示終了タイミングよりも前述の所定期間と同じ期間だけ遅れて演出図柄の変動表示を終了させるため、特別図柄の変動表示開始から終了のタイミングと、演出図柄の変動表示開始から終了のタイミングとを合わせることについてまでの開示はありません。
　よって、各引用文献に記載された発明では、上記した本願補正発明の効果のうちとくに（ｃ）を奏することはありません。」 
　
　しかしながら、審判請求人の上記主張（ａ）〜（ｃ）は、それぞれ、上記「第６　当審の判断」の「ア　相違点１〜３（構成Ａ、Ａ３、Ａ４）について」、「イ　相違点４（構成Ａ５）について」及び「ウ　相違点５（構成Ｂ１）について」、並びに、「エ　相違点６（構成Ｂ２）について」において検討した各相違点１〜６に対応するものであり、そして、既に検討したとおり、当該主張に係る本願発明の構成は、引用発明に上記周知の技術事項１〜２を適用することにより、当業者が適宜なし得たものであり、また、本願発明により奏される効果も、当業者が、引用発明、及び、上記周知の技術事項１〜２から予測し得る効果の範囲内のものであって、格別のものではない。
　したがって、請求人の上記主張を採用することはできない。 
オ　小括
　よって、本願発明は、引用発明、周知の技術事項１〜２に基づいて、当業者が容易に発明をすることができたものである。 
  
第７　むすび
　以上のとおりであるから、本願発明は、特許法第２９条第２項の規定により特許を受けることができない。 
　よって、結論のとおり審決する。